(57)【要約】  本発明は、フルカラーを実現可能な１以上の発光ダイオード、１以上の広告シート、導光板及びフレームを備える広告板において、前記１以上の発光ダイオード、前記１以上の広告シート及び前記導光板を収納するための収納部を備え、前記１以上の広告シートを取り替え易くするために一部が開閉可能なフレームと、前記フレームの一方の側に配設された１以上の発光ダイオードと、前記発光ダイオードの上に位置し、前記発光ダイオードからの光により広告内容を表示する１以上の広告シートと、前記１以上の広告シートの背面に位置し、前記発光ダイオードからの光を拡散させて、前記１以上の広告シートに光を伝送して広告内容の画質を鮮明にする導光板と、を備える広告板を提供する。
2010503889.tif 000002
【特許請求の範囲】
【請求項１】
フルカラーを実現可能な１以上の発光ダイオード、１以上の広告シート、導光板及びフレームを備える広告板において、
前記１以上の発光ダイオード、前記１以上の広告シート及び前記導光板を収納するための収納部を備え、前記１以上の広告シートを取り替え易くするために一部が開閉可能なフレームと、
前記フレームの一方の側に配設された１以上の発光ダイオードと、
前記発光ダイオードの上に位置し、前記発光ダイオードからの光により広告内容を表示する１以上の広告シートと、
前記１以上の広告シートの背面に位置し、前記発光ダイオードからの光を拡散させて、前記１以上の広告シートに光を伝送して広告内容の画質を鮮明にする導光板とを備える広告板。
【請求項２】
前記導光板の背面に１以上の他の広告シートがさらに配設され、
前記１以上の他の広告シートの下部に前記発光ダイオードがさらに配設され、
前記１以上の他の広告シートと前記発光ダイオードを収納するための収納部を有する前記フレームがさらに配設されることを特徴とする請求項１に記載の広告板。
【請求項３】
前記１以上の広告シートと前記１以上の他の広告シートに形成されたそれぞれのパターンイメージは、互いに異なることを特徴とする請求項２に記載の広告板。
【請求項４】
前記１以上の発光ダイオードがオン／オフされるに伴い、
前記１以上の広告シートと前記１以上の他の広告シートのパターンイメージがそれぞれ別々に表示されるか、あるいは、同時に多重表示されることを特徴とする請求項１または３記載の広告板。
【請求項５】
前記１以上の広告シートと前記１以上の他の広告シートは、ポリカボネート系材質から製作されることを特徴とする請求項１または２記載の広告板。
【請求項６】
前記フレームの全縁に１以上の発光ダイオードがさらに配設されることを特徴とする請求項１に記載の広告板。
【発明の詳細な説明】
【技術分野】
【０００１】
本発明は広告板に係り、さらに詳しくは、発光ダイオードにより反射光を用いて単方向または両方向に実写絵の効果を高めることができ、内部空間を十分に確保することができて補助器具の嵩を減らす他、見栄えを考慮した外形設計が可能な広告板に関する。
【背景技術】
【０００２】
韓国の屋内外広告市場を占めている広告媒体としては、電光板、フレックス広告、ポスターやその他Ｐ．Ｏ．Ｐ広告などがある。
【０００３】
最近、Ｐ．Ｏ．Ｐ広告の重要性が高まることに伴い、売場の入口及びロビーなど室内の広報物の案内方法である、実写板と広告シートを用いて絵・額縁またはポスターなどにより大衆に広報を行うイメージボード広告が行われている。
【発明の概要】
【発明が解決しようとする課題】
【０００４】
しかしながら、イメージボードを用いて広告板を室内向けに製作する場合に、広告板は表示される面積に比べて見栄えを損なうほど壁面から相当の部分がはみ出てしまう。この理由から、見栄えを考慮して広告板の外形を設計するには限界があった。
【０００５】
さらに、広告板に設けられたイメージボードの場合、バックライト蛍光灯からの反射光を用いて実写絵の効果を高めていたが、蛍光灯の光を用いるためには所定の内部空間を確保することを余儀なくされるため、やむを得ず厚さが増大してしまう結果、これを保持するための補助器具が肥大化するという不都合があった。
【０００６】
本発明は上述した不都合を解消するためになされたものであり、その目的は、発光ダイオードからの反射光を用いて単方向または両方向に実写絵の効果を高めることができ、内部空間を十分に確保することができて補助器具の嵩を減らす他、見栄えを考慮した外形設計が可能な広告板を提供するところにある。
【課題を解決するための手段】
【０００７】
上記の目的を達成するために、本発明は、フルカラーを実現可能な１以上の発光ダイオード、１以上の広告シート、導光板及びフレームを備える広告板において、１以上の発光ダイオード、１以上の広告シート及び導光板を収納するための収納部を備え、１以上の広告シートを取り替え易くするために一部が開閉可能なフレームと、フレームの一方の側に配設された１以上の発光ダイオードと、発光ダイオードの上に位置し、発光ダイオードからの光により広告内容を表示する１以上の広告シートと、１以上の広告シートの背面に位置し、発光ダイオードからの光を拡散させて、１以上の広告シートに光を伝送して広告内容の画質を鮮明にする導光板と、を備える。
【０００８】
本発明の他の特徴によれば、導光板の背面に１以上の他の広告シートがさらに配設され、１以上の他の広告シートの下部に発光ダイオードがさらに配設され、１以上の他の広告シートと発光ダイオードを収納するための収納部を有するフレームがさらに配設される。
【０００９】
本発明のさらに他の特徴によれば、１以上の広告シートと１以上の他の広告シートに形成されたそれぞれのパターンイメージは、互いに異なる。
本発明のさらに他の特徴によれば、１以上の発光ダイオードがオン／オフされるに伴い、１以上の広告シートと１以上の他の広告シートのパターンイメージがそれぞれ別々に表示されるか、あるいは、同時に多重表示される。
【００１０】
本発明のさらに他の特徴によれば、１以上の広告シートと１以上の他の広告シートは、ポリカボネート系の材質から製作される。
【００１１】
本発明のさらに他の特徴によれば、フレームの全縁に１以上の発光ダイオードがさらに配設される。
【発明の効果】
【００１２】
本発明の広告板によれば、下記の効果が得られる。
【００１３】
第一に、両方向に表示しようとする広告の内容をそれぞれ別々に目立たせたり同時に目立たせたりできて、生動感あふれる広告の実写イメージを高めることができる。
【００１４】
第二に、内部空間を十分に確保することができて、補助器具の嵩を減らすことができる。
【００１５】
第三に、見栄えを考慮した外形設計が可能であり、製品の差別性を図ることができる。
【図面の簡単な説明】
【００１６】
【図１】本発明の第１の実施形態による広告板を示す外形斜視図。
【図２】図１に示すＸ−Ｘ’領域を切り取って示すフレーム斜視図。
【図３】図１に示すＸ−Ｘ’領域を切り取って示す広告板の右側断面図。
【図４】本発明の第１の実施形態による広告板の種々の実写イメージを示すための外形斜視図。
【図５】本発明の第１の実施形態による広告板の種々の実写イメージを示すための外形斜視図。
【図６】本発明の第１の実施形態による広告板の種々の実写イメージを示すための外形斜視図。
【図７】本発明の第２の実施形態による広告板の右側断面図。
【図８】本発明の第３の実施形態による広告板の右側断面図。
【図９】本発明の第４の実施形態による広告板の右側断面図。
【図１０】本発明の第５の実施形態による広告板の右側断面図。
【図１１】本発明の第６の実施形態による広告板の右側断面図。
【発明を実施するための形態】
【００１７】
以下、添付図面に基づき、本発明の実施形態を詳述する。添付図面と結び付けて行われる説明により本発明の具現例が一層明らかになる。なお、図中、同じ参照符号は同じ構成要素を示す。
【００１８】
＜第１の実施形態＞
図１は、本発明の第１の実施形態による広告板を示す外形斜視図であり、図２は、図１に示すＸ−Ｘ’領域を切り取って示すフレーム斜視図であり、そして図３は、図１に示すＸ−Ｘ’領域を切り取って示す広告板の右側断面図である。
【００１９】
また、図４から図６は、本発明の第１の実施形態による広告板の種々の実写イメージを示すための外形斜視図である。
【００２０】
図１から図３を参照すると、本発明の第１の実施形態による広告板１００は、外形を有するフレーム１０１の一方の側に表示部Ａが形成され、他方の側に非表示部Ｂが設けられる。
【００２１】
表示部Ａは、大衆に広告内容を表示することにより商品を広報するための部分であり、非表示部Ｂは、表示部Ａと電気的に接続されて表示部Ａを駆動するための駆動回路（図示せず）と電源部（図示せず）が設けられる部分である。
【００２２】
ここで、表示部Ａには、発光ダイオード１０３、第１の実写板１０５、１以上の広告シート１０７、１０８、導光板１０９などが設けられる。
【００２３】
このとき、電源部（図示せず）は、外部の電源供給装置１０２と電気的に接続され、スイッチング手段１０４によりオン／オフされて電源を供給される。
【００２４】
また、フレーム１０１の収納部Ｃに凹設されたそれぞれの嵌合溝ｈ１、ｈ２、ｈ３に第１の実写板１０５、１以上の広告シート１０７、１０８及び導光板１０９が嵌まり込む。
【００２５】
このとき、フレーム１０１は、右側の一部に蝶番などの開閉部材（図１における１１１）が配設されて、広告内容が含まれている１以上の広告シート１０７、１０８を手軽に取り替えるように設けられる。
【００２６】
ここで、図３に示すように、１以上の発光ダイオード１０３はフレーム１０１の下部に配設される。この１以上の発光ダイオード１０３は、赤色（Ｒ）、緑色（Ｇ）、青色（Ｂ）の発光ダイオードであり、色の組合による２５６種類のカラーのフルカラーが実現可能になる。
【００２７】
１以上の広告シート１０７、１０８は発光ダイオード１０３の上部に位置し、発光ダイオード１０３からの光により広告の内容を表示するために配設される。
【００２８】
このとき、図１に示すように、１以上の広告シート１０７、１０８は、大衆に広報するイメージパターンをそれぞれ２種類持つ。
【００２９】
しかしながら、この発明はこれに限定されるものではなく、図示はしないが、１以上の広告シート１０７、１０８が３以上に配設されることも可能である。この１以上の広告シート１０７、１０８は広報するイメージパターンを様々に有することにより、生動感あふれる実写イメージの効果を高めることが可能になる。
【００３０】
この１以上の広告シート１０７、１０８はフレーム１０１の収納部Ｃに凹設された嵌合溝ｈ１、ｈ２に嵌まり込むため、１以上の広告シート１０７、１０８を簡単に取り替えることができる。
【００３１】
導光板１０９は１以上の広告シート１０７、１０８の背面に形成され、発光ダイオード１０３からの光を拡散させて、１以上の広告シート１０７、１０８に光を伝送することにより、広告内容の画質を鮮明にする。
【００３２】
この導光板１０９は、不透明な白色の材質から形成されるため、発光ダイオード１０３からの光が透過することなく、１以上の広告シート１０７、１０８に全反射されて光が効率よく収束されるので、広告内容の画質は一層鮮明になる。
【００３３】
第１の実写板１０５は１以上の広告シート１０７、１０８の前面に形成され、１以上の広告シート１０７、１０８を介して外部に広告内容を表示する。
【００３４】
このとき、第１の実写板１０５は１以上の広告シート１０７、１０８を保護するために透明な材質から形成される。
【００３５】
この第１の実写板１０５の透明な材質はポリカボネート系の材質であり、優れた機械的な性質である耐衝撃性、耐熱性、耐寒性を有している。
【００３６】
このような本発明の第１の実施形態による広告板１００は、オン／オフ可能な発光ダイオード１０３からの反射光を用いて生動感あふれる実写絵の効果を高めることが可能になる。
【００３７】
具体的に、本発明の第１の実施形態による広告板１００は、第１の発光ダイオード１０３ａと第３の発光ダイオード１０３ｃがオンの状態であり、且つ、第２の発光ダイオード１０３ｂがオフの状態であるとき、図４に示すように、第１の実写板１０５に表現しようとする広告内容が表示される。
【００３８】
一方、第１の発光ダイオード１０３ａがオフの状態であり、且つ、第２の発光ダイオード１０３ｂと第３の発光ダイオード１０３ｃがオンの状態であるとき、図５に示すように、第１の実写板１０５に表現しようとする他の広告内容が表示される。
【００３９】
さらに、第１の発光ダイオード１０３ａと第２の発光ダイオード１０３ｂ及び第３の発光ダイオード１０３ｃがいずれもオンの状態であるとき、図６に示すように、第１の実写板１０５に表現しようとする全ての広告内容が表示される。
【００４０】
ここで、第１の発光ダイオード１０３ａと第２の発光ダイオード１０３ｂ及び第３の発光ダイオード１０３ｃは大容量のキャパシター（図示せず）素子及びスイッチング素子（図示せず）と電気的に接続され、キャパシター（図示せず）に蓄積された蓄積電流を１以上の発光ダイオード１０３ａ、１０３ａ、１０３ｃに供給する。
【００４１】
このとき、スイッチング素子（図示せず）により制御された蓄積電流が１以上の発光ダイオード１０３ａ、１０３ｂ、１０３ｂにスイッチングされて供給されるため、生動感あふれる実写絵の効果を奏することが可能になる。
【００４２】
他方、図示はしないが、電流プログラミング駆動方式を用いて１以上の発光ダイオード１０３ａ、１０３ｂ、１０３ｃへの電流の供給を早めたり遅らせることにより、実写絵を一層生動感あふれるように演出することも可能である。
【００４３】
このような本発明の第１の実施形態による広告板１００には、１以上の広告シート１０７、１０８が設けられるため、表示しようとする広告の内容をそれぞれ別々に目立たせたり同時に目立たせたりできて、生動感あふれる広告の広報効果を高めることが可能になる。
【００４４】
また、発光ダイオード１０３が小型であるので内部空間を十分に確保することができ、その結果、補助器具の嵩を減らすことが可能になる。
さらに、広告板１００が薄肉化可能であり、しかも、見栄えを考慮した広告板１００の外形設計が可能になる。
【００４５】
＜第２の実施形態＞
図７は、本発明の第２の実施形態による広告板の右側断面図である。
【００４６】
図７を参照すると、本発明の第２の実施形態による広告板は、図１と同様に、外形を有するフレーム５０１の一方の側に表示部Ａ’が形成され、他方の側に非表示部（図示せず）が設けられる。
【００４７】
ここで、表示部Ａ’と非表示部（図示せず）に設けられるそれぞれの構成要素とそれぞれの機能は既に上述したため、以下ではその説明を省略する。
【００４８】
本発明の第２の実施形態による広告板の表示部Ａ’には、発光ダイオード５０３、第１の実写板５０５、１以上の広告シート５０７、５０８、導光板５０９、１以上の他の広告シート５１１、５１２及び第２の実写板５１３などが設けられる。
【００４９】
このとき、フレーム５０１の収納部Ｃに凹設されたそれぞれの嵌合溝ｈ１、ｈ２、ｈ３、ｈ４、ｈ５、ｈ６、ｈ７に第１の実写板５０５、１以上の広告シート５０７、５０８、導光板５０９、１以上の他の広告シート５１１、５１２及び第２の実写板５１３が嵌まり込む。
【００５０】
ここで、フレーム５０１、発光ダイオード５０３、第１の実写板５０５、１以上の広告シート５０７、５０８及び導光板５０９の機能については既に上述したため、以下ではその説明を省略する。
【００５１】
本発明の第２の実施形態による広告板は、導光板５０９の背面に１以上の他の広告シート５１１、５１２がさらに形成され、１以上の他の広告シート５１１、５１２の背面に第２の実写板５１３がさらに形成される。
【００５２】
このような１以上の他の広告シート５１１、５１２は発光ダイオード５０３の上部に位置し、発光ダイオード５０３からの光を用いて両方向に他の広告の内容を表示するために配設される。このとき、１以上の他の広告シート５１１、５１２は、１以上の広告シート５０７、５０８とは異なり、大衆に広報する他のイメージパターンが形成される。
【００５３】
上記と同様に、１以上の他の広告シート５１１、５１２はフレーム５０１の収納部Ｃに凹設された嵌合溝ｈ４、ｈ５に嵌まり込むため、１以上の他の広告シート５１１、５１２を簡単に取り替えることができ、様々なイメージパターンにて大衆に広報を行うことが可能になる。
【００５４】
導光板５０９は、１以上の広告シート５０７、５０８の背面と１以上の他の広告シート５１１、５１２の前面に形成され、発光ダイオード５０３からの光を拡散させて、１以上の広告シート５０７、５０８と１以上の他の広告シート５１１、５１２に光を伝送することにより、広告内容の画質を鮮明にする。
【００５５】
第２の実写板５１３は１以上の他の広告シート５１１、５１２の背面に形成され、１以上の他の広告シート５１１、５１２を介して外部に広告内容を表示する。上記と同様に、第２の実写板５１３は１以上の他の広告シート５１１、５１２を保護するために透明な材質から形成される。
【００５６】
この第２の実写板５１３の透明な材質はポリカボネート系の材質であり、優れた機械的な性質である耐衝撃性、耐熱性、耐寒性を有している。
【００５７】
このような本発明の第２の実施形態による広告板には、１以上の他の広告シート５１１、５１２がさらに設けられるため、両方向に表示しようとする広告の内容をそれぞれ別々に目立たせたり同時に目立たせたりできて、生動感あふれる広告の広報効果を一層高めることが可能になる。
【００５８】
さらに、発光ダイオード５０３が小型であるため、内部空間を十分に確保することができ、その結果、補助器具の嵩を減らすことが可能になる。
【００５９】
さらに、広告板５００が薄肉化可能であり、しかも、見栄えを考慮した広告板１００の外形設計が可能になる。
【００６０】
一方、本発明の広告板に設けられたフレームの上側または全縁に１以上の発光ダイオードを設けて、広告の内容を一層生動感あふれるように目立たせることができる。このような本発明の様々な実施形態による広告板を説明すると、下記の図８から図１１に示す通りである。
【００６１】
＜第３、第４、第５及び第６の実施形態＞
図８は、本発明の第３の実施形態による広告板の右側断面図であり、図９は、本発明の第４の実施形態による広告板の右側断面図である。また、図１０は、本発明の第５の実施形態による広告板の右側断面図であり、図１１は、本発明の第６の実施形態による広告板の右側断面図である。
【００６２】
図８及び図９を参照すると、本発明の第３及び第４の実施形態による広告板の表示部Ａ、Ａ’には、発光ダイオード６０３、７０３、第１の実写板６０５、７０５、１以上の広告シート６０７、６０８、７０７、７０８、導光板６０９、７０９、１以上の他の広告シート７１１、７１２及び第２の実写板７１３などが設けられる。
【００６３】
このとき、フレーム６０１、７０１の上側に位置する収納部Ｃに凹設されたそれぞれの嵌合溝ｈ１、ｈ２、ｈ３、ｈ４、ｈ５、ｈ６、ｈ７に第１の実写板６０５、７０５、１以上の広告シート６０７、６０８、７０７、７０８、導光板６０９、７０９、１以上の他の広告シート７１１、７１２及び第２の実写板７１３が嵌まり込む。
【００６４】
また、図１０及び図１１を参照すると、本発明の第５及び第６の実施形態による広告板の表示部Ａ、Ａ’には、発光ダイオード１０３、５０３、６０３、７０３、第１の実写板１０５、５０５、６０５、７０５、１以上の広告シート１０７、１０８、５０７、５０８、６０７、６０８、７０７、７０８、導光板１０９、５０９、６０９、７０９、１以上の他の広告シート５１１、５１２、７１１、７１２及び第２の実写板５１３、７１３などが設けられる。
【００６５】
このとき、フレーム１０１、５０１、６０１、７０１の上側または下側に位置する収納部Ｃに凹設されたそれぞれの嵌合溝ｈ１、ｈ２、ｈ３、ｈ４、ｈ５、ｈ６、ｈ７に第１の実写板１０５、５０５、６０５、７０５、１以上の広告シート１０７、１０８、５０７、５０８、６０７、６０８、７０７、７０８、導光板１０９、５０９、６０９、７０９、１以上の他の広告シート５１１、５１２、７１１、７１２及び第２の実写板５１３、７１３が嵌まり込む。
【００６６】
ここで、フレーム１０１、５０１、６０１、７０１、発光ダイオード１０３、５０３、６０３、７０３、第１の実写板１０５、５０５、６０５、７０５、１以上の広告シート１０７、１０８、５０７、５０８、６０７、６０８、７０７、７０８、導光板１０９、５０９、６０９、７０９、１以上の他の広告シート５１１、５１２、７１１、７１２及び第２の実写板５１３、７１３の機能については既に上述したため、以下ではその説明を省略する。
【００６７】
一方、本発明の第３、第４、第５及び第６の実施形態による広告板にも、第２及び第３の実施形態による広告板と同様に、オン／オフ可能な発光ダイオード１０３、５０３、６０３、７０３が設けられるため、反射光を用いて生動感あふれる実写絵の効果を一層高めることが可能になる。
【００６８】
さらに、本発明はこれに限定されるものではなく、図示はしないが、外形を有するフレーム（図示せず）の全縁に１以上の発光ダイオード（図示せず）をさらに設けて反射光を用いた生動感あふれる実写絵の効果を一層高めることができる。
【００６９】
また、上述した実施形態には開示されていないが、本発明の広告板に設けられた導光板（図示せず）の構造を１以上の広告シート（図示せず）と１以上の他の広告シート（図示せず）を取り囲むように設計して、反射光を用いた一層生動感あふれる実写絵の効果を一層高めることも可能である。
【００７０】
本発明が属する技術分野における当業者であれば、本発明がその技術的な思想や必須的な特徴を変更することなく他の具体的な形態にて実施可能であることが理解できるであろう。よって、上述した実施形態はあらゆる面で例示的なものであり、限定的なものではないと理解さるべきであり、本発明の範囲は前記詳細な説明よりは、特許請求の範囲により開示され、特許請求の範囲の意味及び範囲、並びにその等価概念から導き出されるあらゆる変更または変形された形態が本発明の範囲に含まれるものであると解釈さるべきである。
【産業上の利用可能性】
【００７１】
本発明は、表示しようとする広告の内容をそれぞれ別々に目立たせたり同時に目立たせたりできて、生動感あふれる広告の実写イメージを高めることができることから、広告板のより進んだ形態に使用可能である。
【符号の説明】
【００７２】
１００  広告板
１０１  フレーム
１０２  電源供給装置
１０３  発光ダイオード
１０３ａ            発光ダイオード
１０３ｂ            発光ダイオード
１０３ｃ            発光ダイオード
１０４  スイッチング手段
１０５  実写板
１０７  広告シート
１０８  広告シート
１０９  導光板
５００  広告板
５０１  フレーム
５０３  発光ダイオード
５０５  実写板
５０７  広告シート
５０９  導光板
５１１  広告シート
５１２  広告シート
５１３  実写板
６０１  フレーム
６０３  発光ダイオード
６０５  実写板
６０７  広告シート
６０８  広告シート
６０９  導光板
７０３  発光ダイオード
７０５  実写板
７０７  広告シート
７０８  広告シート
７０９  導光板
７１１  広告シート
７１２  広告シート
７１３  実写板
【図１】
2010503889.tif 000003
【図２】
2010503889.tif 000004
【図３】
2010503889.tif 000005
【図４】
2010503889.tif 000006
【図５】
2010503889.tif 000007
【図６】
2010503889.tif 000008
【図７】
2010503889.tif 000009
【図８】
2010503889.tif 000010
【図９】
2010503889.tif 000011
【図１０】
2010503889.tif 000012
【図１１】
2010503889.tif 000013
【国際調査報告】
2010503889.tif 000014
2010503889.tif 000015